【手続補正書】
【提出日】令和2年9月17日(2020.9.17)
【手続補正１】
【補正対象書類名】明細書
【補正対象項目名】００３３
【補正方法】変更
【補正の内容】
【００３３】
抵抗Ｒ８の一端は、接続点１２４に接続されており、検知入力端３２として機能する。抵抗Ｒ８の他端は、抵抗Ｒ９の一端に接続されており、抵抗Ｒ９の一端は、検知出力端３８として機能する。抵抗Ｒ９の他端は、グランドされている。上述の接続により、検知出力端３８は、供給電圧Ｖｉに応じた検知電圧Ｖｄを出力する。検知電圧Ｖｄは、供給電圧Ｖｉに応じて変化し、且つ、供給電圧Ｖｉよりも低い。特に、本実施の形態の検知電圧Ｖｄは、蓄電回路１０が初期状態にあるとき、検知電圧Ｖｄ＝供給電圧Ｖｉ×Ｒ９×{１／Ｒ８＋１／（Ｒ４＋Ｒ５＋Ｒ６）}／[１＋Ｒ９×{１／Ｒ８＋１／（Ｒ４＋Ｒ５＋Ｒ６）}]の分圧式によって表される。この分圧式において、ＲＮ（Ｎは４、５、６、８又は９）は、抵抗ＲＮの抵抗値を示している。以降の説明においても、式中のＲＮ（Ｎは整数）は、抵抗ＲＮの抵抗値を示している。
【手続補正２】
【補正対象書類名】明細書
【補正対象項目名】００３６
【補正方法】変更
【補正の内容】
【００３６】
纏めると、電圧検知回路３０は、供給電圧Ｖｉと所定電圧ＶＺとによって規定される参照電圧Ｖｒ、及び、供給電圧Ｖｉによって規定される検知電圧Ｖｄが得られる限り、どのように構成されていてもよい。例えば、図８を図２と併せて参照すると、変形例による電圧検知回路３０Ｂは、ツェナーダイオードＺ１に代えて、直列に接続された４つのダイオードＤ１、Ｄ２、Ｄ３、Ｄ４を有している。電圧検知回路３０Ｂによっても、電圧検知回路３０と同様な参照電圧Ｖｒ及び検知電圧Ｖｄが得られる。
【手続補正３】
【補正対象書類名】明細書
【補正対象項目名】００３７
【補正方法】変更
【補正の内容】
【００３７】
図１を参照すると、比較回路４０は、接続点１２６において電源ライン１２に接続されており、これにより、比較回路４０に供給電圧Ｖｉが印加される。比較回路４０は、ポジティブ入力端４２と、ネガティブ入力端４４と、出力端４８とを有している。ポジティブ入力端４２は、電圧検知回路３０の参照出力端３６に接続されており、参照電圧Ｖｒに応じた非反転電圧Ｖｐが印加される。ネガティブ入力端４４は、電圧検知回路３０の検知出力端３８に接続されており、検知電圧Ｖｄに応じた反転電圧Ｖｎが印加される。
【手続補正４】
【補正対象書類名】明細書
【補正対象項目名】００４８
【補正方法】変更
【補正の内容】
【００４８】
図１を参照すると、付加的回路５０は、電源端５２と、グランド端５４と、付加的制御端５６と、付加的出力端５８とを有している。電源端５２は、接続点１２８において電源ライン１２に接続されており、これにより、電源端５２に供給電圧Ｖｉに応じた電圧が印加される。グランド端５４は、グランドされている。付加的制御端５６は、比較回路４０の出力端４８に接続されており、付加的制御電圧Ｖｃａに応じた付加的印加電圧Ｖｘａが印加される。付加的出力端５８は、電源端５２と接続点１２８との間に接続されている。付加的回路５０は、付加的印加電圧Ｖｘａによって動作し、付加的出力端５８から制御電圧Ｖｃを出力する。
【手続補正５】
【補正対象書類名】明細書
【補正対象項目名】００５１
【補正方法】変更
【補正の内容】
【００５１】
図１及び図２を参照すると、本実施の形態において、付加的回路５０の電源端５２は、電源ライン１２に接続されると共に、電圧検知回路３０の検知出力端３８に接続されている。詳しくは、図２を参照すると、付加的スイッチング素子５０Ｓのドレインは、接続点１２８に接続されていると共に、ヒステリシス回路４２０の抵抗Ｒ５及び抵抗Ｒ６を介して、電圧検知回路３０の検知出力端３８に接続されている。この構成により、電源端５２には、検知電圧Ｖｄに応じた電圧が印加される。但し、本発明は、これに限られず、電源端５２は、必要に応じて検知出力端３８に接続されていればよい。
【手続補正６】
【補正対象書類名】明細書
【補正対象項目名】００７３
【補正方法】変更
【補正の内容】
【００７３】
第３スイッチング素子４０６がＯＮ状態になると、付加的制御電圧Ｖｃａがグランド電圧（０Ｖ）になり、付加的スイッチング素子５０Ｓは、ＯＦＦ状態になる。即ち、付加的回路５０は、非グランド状態になる。付加的回路５０が非グランド状態になると、制御電圧Ｖｃが検知電圧Ｖｄよりも大きくなり、副スイッチング素子６０Ｓは、ＯＮ状態になる。副スイッチング素子６０ＳがＯＮ状態になると、主スイッチング素子６０Ｍにおいて、供給電圧Ｖｉを抵抗Ｒ１２と抵抗Ｒ１３とによって分圧した電圧がゲートに印加される。一方、ソースには供給電圧Ｖｉが印加され続けている。この結果、主スイッチング素子６０Ｍは、ＯＮ状態になり、スイッチ回路６０は導通状態になる。導通状態において、電源８２が生成した電力は、キャパシタ２０に蓄積された電力と共に負荷８８に供給される。
【手続補正７】
【補正対象書類名】明細書
【補正対象項目名】００８９
【補正方法】変更
【補正の内容】
【００８９】
図２〜図４までを参照すると、図示した抵抗ＲＮ（Ｎは整数）は、１つの抵抗器に限られず、複数の抵抗器の組み合わせであってもよい。
【手続補正８】
【補正対象書類名】明細書
【補正対象項目名】０１１３
【補正方法】変更
【補正の内容】
【０１１３】
開始点からＴ０までの間、供給電圧Ｖｉの上昇に伴い、検知電圧Ｖｄ及び反転電圧Ｖｎが徐々に上昇する。この間、供給電圧Ｖｉは、ツェナー電圧ＶＺよりも低いため、ツェナーダイオードＺ１は、ＯＦＦ状態にあり、供給電圧Ｖｉの上昇に伴い、参照電圧Ｖｒ（非反転電圧Ｖｐ）が徐々に上昇する。この間、参照電圧Ｖｒは供給電圧Ｖｉと等しく、反転電圧Ｖｎは供給電圧Ｖｉよりも低い。即ち、非反転電圧Ｖｐは、反転電圧Ｖｎよりも高いため、第１スイッチング素子４０２は、ＯＮ状態になり、第２スイッチング素子４０４は、ＯＦＦ状態を維持する。この結果、第３スイッチング素子４０６のゲートの電圧がグランド電圧（０Ｖ）となり、第３スイッチング素子４０６は、ＯＦＦ状態を維持し、付加的スイッチング素子５０Ｓのゲートに、供給電圧Ｖｉと等しい付加的制御電圧Ｖｃａ（＝付加的印加電圧Ｖｘａ）が印加される。
【手続補正９】
【補正対象書類名】明細書
【補正対象項目名】０１１４
【補正方法】変更
【補正の内容】
【０１１４】
開始点からＴ０までの間、付加的制御電圧Ｖｃａは、付加的スイッチング素子５０Ｓの付加的閾値ＴＡよりも低い。このため、付加的スイッチング素子５０Ｓは、ＯＦＦ状態を維持し、副スイッチング素子６０Ｓのゲートに、検知電圧Ｖｄに応じた制御電圧Ｖｃ（＝印加電圧Ｖｘ）が印加される。このとき、制御電圧Ｖｃは、副スイッチング素子６０Ｓの所定閾値ＴＰよりも低い。このため、副スイッチング素子６０Ｓは、ＯＦＦ状態を維持し、主スイッチング素子６０Ｍのソース及びゲートに供給電圧Ｖｉが印加される。この結果、主スイッチング素子６０ＭはＯＦＦ状態を維持し、スイッチ回路６０は遮断状態を維持する。
【手続補正１０】
【補正対象書類名】明細書
【補正対象項目名】０１３０
【補正方法】変更
【補正の内容】
【０１３０】
図１０に測定結果を示す。図１０を図９と比べれば理解されるように、実施例２の回路は、実施例１の回路と同様に動作する。詳しくは、実施例２の回路において、開始点からＴ２までの間、スイッチ回路６０（図２参照）は遮断状態を維持する。この間、Ｔ０において、付加的制御電圧Ｖｃａは、付加的閾値ＴＡに達する。Ｔ１において、供給電圧Ｖｉは、ツェナー電圧ＶＺに達する。スイッチ回路６０は、Ｔ２において導通状態になり、Ｔ２からＴ３までの間、導通状態を維持する。スイッチ回路６０は、Ｔ３において遮断状態になり、Ｔ３からＴ４までの間、遮断状態を維持する。Ｔ２以降、実施例２の回路は、Ｔ２からＴ４までの間の状態を繰り返す定常状態になる。実施例２の回路は、定常状態にあるとき、適切に動作している。